(57)【特許請求の範囲】
【請求項１】
タッチパネル機能を備える表示部と、
前記表示部の表示制御を行う表示制御部と、
前記タッチパネル機能により検知される前記表示部に対するタッチ操作に基づく指示を受け付ける操作受付部とを備え、
前記表示制御部は、
前記操作受付部が前記タッチ操作に基づいてスクロール指示を受け付けたとき、前記表示部に表示する表示画面のスクロール表示を行い、当該表示画面として表示している画像部分が、当該スクロール表示の対象としている表示対象画像の全体におけるいずれの範囲であるかを前記表示部の表示領域における表示位置により示すスクロールバーを、前記表示対象画像の全体に対して当該表示画面として表示している画像部分が占める割合に応じた長さで前記表示領域に表示すると共に、
前記スクロール指示に基づく前記スクロール表示による前記表示対象画像の表示終了位置から算出した前記表示領域における前記スクロールバーの停止位置を示す停止位置画像として、前記スクロール表示の終了時に前記表示領域に表示する前記スクロールバーの位置を示すパーツ画像であって当該スクロールバーと同一形状かつ同一長さの画像であるパーツ画像を生成し、当該パーツ画像を、前記スクロール表示の終了前に、前記停止位置に対応する位置に表示し、
当該表示画面として表示している画像部分が前記表示終了位置に到達するまで、スクロール表示及び前記スクロールバーの前記パーツ画像への移動表示を行い、当該表示画面として表示している画像部分が前記表示終了位置に到達すると、前記スクロールバーを前記パーツ画像上に重ね合わせて表示し、前記スクロール表示を終了し、当該スクロール表示の終了時に前記スクロールバー及び前記パーツ画像を非表示とする表示装置。
【請求項２】
タッチパネル機能を備える表示部の表示制御を行う表示制御部と、
前記タッチパネル機能により検知される前記表示部に対するタッチ操作に基づく指示を受け付ける操作受付部としてコンピューターを機能させる表示制御プログラムであって、
前記表示制御部が、
前記操作受付部が前記タッチ操作に基づいてスクロール指示を受け付けたとき、前記表示部に表示する表示画面のスクロール表示を行い、当該表示画面として表示している画像部分が、当該スクロール表示の対象としている表示対象画像の全体におけるいずれの範囲であるかを前記表示部の表示領域における表示位置により示すスクロールバーを、前記表示対象画像の全体に対して当該表示画面として表示している画像部分が占める割合に応じた長さで前記表示領域に表示すると共に、
前記スクロール指示に基づく前記スクロール表示による前記表示対象画像の表示終了位置から算出した前記表示領域における前記スクロールバーの停止位置を示す停止位置画像として、前記スクロール表示の終了時に前記表示領域に表示する前記スクロールバーの位置を示すパーツ画像であって当該スクロールバーと同一形状かつ同一長さの画像であるパーツ画像を生成し、当該パーツ画像を、前記スクロール表示の終了前に、前記停止位置に対応する位置に表示し、
当該表示画面として表示している画像部分が前記表示終了位置に到達するまで、スクロール表示及び前記スクロールバーの前記パーツ画像への移動表示を行い、当該表示画面として表示している画像部分が前記表示終了位置に到達すると、前記スクロールバーを前記パーツ画像上に重ね合わせて表示し、前記スクロール表示を終了し、当該スクロール表示の終了時に前記スクロールバー及び前記パーツ画像を非表示とするように、更に上記コンピューターを機能させる表示制御プログラム。
【発明の詳細な説明】
【技術分野】
【０００１】
本発明は、表示装置及び表示制御プログラムに関し、特に、表示部に表示される画像をスクロール表示させる技術に関する。
【背景技術】
【０００２】
近年、携帯電話、スマートフォン、ＰＤＡ（Personal Digital Assistant）、音楽プレーヤー、及び電子タブレット等のモバイル機器が普及している。モバイル機器等の表示装置には、表示部に表示されている表示画面に対して行われるユーザーのタッチ操作に従って、表示画面をスクロール表示するものがある。
【０００３】
表示装置には、スワイプ操作（画面に触れた状態で指を滑らせる操作）に応じて表示画面のスクロール表示を行う場合、表示画面からユーザーの指が離れてもスクロール表示をすぐには終了させず、慣性が作用しているようにスクロール速度を徐々に減衰させる慣性スクロールという機能が搭載されているものがある。当該技術については、下記の特許文献１に記載されている。
【０００４】
また、表示装置には、スクロール表示が行われている間、表示部に現在表示されている表示画面が全体のどの位置であるのかを示すスクロールバーを表示する機能が搭載されているものもある。また、スクロールバーを利用し、表示装置の操作性を高めるための発明も種々提案されている（例えば、下記の特許文献２を参照）。
【先行技術文献】
【特許文献】
【０００５】
【特許文献１】特開平０５−１００８０９号公報
【特許文献２】特開２００４−１３９３２１号公報
【発明の概要】
【発明が解決しようとする課題】
【０００６】
慣性スクロールのように、表示画面から指が離れてもすぐにスクロール表示を終わらせないようにすると、ユーザーの操作負担を軽減できるというメリットがあるが、その反面、スクロール表示の終了位置が分かり難いというデメリットもある。また、上記特許文献１，２のいずれにも、全体におけるスクロール表示が終了する終了位置をユーザーに事前に知らせる技術についての記載はない。
【０００７】
本発明は、上記の事情に鑑みなされたものであり、スクロール表示を行う際に、表示対象とする画像全体におけるスクロール表示の終了位置をユーザーに事前に知らせることを目的とする。
【課題を解決するための手段】
【０００８】
本発明の一局面に係る表示装置は、タッチパネル機能を備える表示部と、前記表示部の表示制御を行う表示制御部と、前記タッチパネル機能により検知される前記表示部に対するタッチ操作に基づく指示を受け付ける操作受付部とを備え、前記表示制御部は、前記操作受付部が前記タッチ操作に基づいてスクロール指示を受け付けたとき、前記表示部に表示する表示画面のスクロール表示を行い、当該表示画面として表示している画像部分が、当該スクロール表示の対象としている表示対象画像の全体におけるいずれの範囲であるかを前記表示部の表示領域における表示位置により示すスクロールバーを、前記表示対象画像の全体に対して当該表示画面として表示している画像部分が占める割合に応じた長さで前記表示領域に表示すると共に、前記スクロール指示に基づく前記スクロール表示による前記表示対象画像の表示終了位置から算出した前記表示領域における前記スクロールバーの停止位置を示す停止位置画像として、前記スクロール表示の終了時に前記表示領域に表示する前記スクロールバーの位置を示すパーツ画像であって当該スクロールバーと同一形状かつ同一長さの画像であるパーツ画像を生成し、当該パーツ画像を、前記スクロール表示の終了前に、前記停止位置に対応する位置に表示し、当該表示画面として表示している画像部分が前記表示終了位置に到達するまで、スクロール表示及び前記スクロールバーの前記パーツ画像への移動表示を行い、当該表示画面として表示している画像部分が前記表示終了位置に到達すると、前記スクロールバーを前記パーツ画像上に重ね合わせて表示し、前記スクロール表示を終了し、当該スクロール表示の終了時に前記スクロールバー及び前記パーツ画像を非表示とするものである。
【０００９】
また、本発明の一局面に係る表示制御プログラムは、タッチパネル機能を備える表示部の表示制御を行う表示制御部と、前記タッチパネル機能により検知される前記表示部に対するタッチ操作に基づく指示を受け付ける操作受付部としてコンピューターを機能させる表示制御プログラムであって、前記表示制御部が、前記操作受付部が前記タッチ操作に基づいてスクロール指示を受け付けたとき、前記表示部に表示する表示画面のスクロール表示を行い、当該表示画面として表示している画像部分が、当該スクロール表示の対象としている表示対象画像の全体におけるいずれの範囲であるかを前記表示部の表示領域における表示位置により示すスクロールバーを、前記表示対象画像の全体に対して当該表示画面として表示している画像部分が占める割合に応じた長さで前記表示領域に表示すると共に、前記スクロール指示に基づく前記スクロール表示による前記表示対象画像の表示終了位置から算出した前記表示領域における前記スクロールバーの停止位置を示す停止位置画像として、前記スクロール表示の終了時に前記表示領域に表示する前記スクロールバーの位置を示すパーツ画像であって当該スクロールバーと同一形状かつ同一長さの画像であるパーツ画像を生成し、当該パーツ画像を、前記スクロール表示の終了前に、前記停止位置に対応する位置に表示し、当該表示画面として表示している画像部分が前記表示終了位置に到達するまで、スクロール表示及び前記スクロールバーの前記パーツ画像への移動表示を行い、当該表示画面として表示している画像部分が前記表示終了位置に到達すると、前記スクロールバーを前記パーツ画像上に重ね合わせて表示し、前記スクロール表示を終了し、当該スクロール表示の終了時に前記スクロールバー及び前記パーツ画像を非表示とするように、更に上記コンピューターを機能させるものである。
【発明の効果】
【００１０】
本発明によれば、スクロールバーの停止位置を示す停止位置画像がスクロール表示の終了前（例えば、タッチ操作の直後）に表示部に表示されるので、例えば慣性スクロール等により、開始されたスクロール表示がすぐには終了されない場合であっても、スクロール表示が終了する位置を、確実にユーザーに事前に知らせることができる。
【図面の簡単な説明】
【００１１】
【図１】本発明の第１実施形態に係る表示装置の外観を示す平面図である。
【図２】第１実施形態に係る表示装置の主要内部構成を概略的に示した機能ブロック図である。
【図３】受信メールリスト画像の一例を示した図である。
【図４】表示部に表示される表示画面の一例を示した図である。
【図５】表示部に表示される表示画面の一例を示した図であり、（Ａ）はスクロールバーを説明し、（Ｂ）はスクロールバー表示領域を説明している。
【図６】第１実施形態に係る表示装置による表示処理を示したフローチャートである。
【図７】表示部に表示される表示画面の一例を示した図である。
【図８】表示部に表示される表示画面の一例を示した図であり、（Ａ）はスワイプ操作時の状態を示し、（Ｂ）はスクロール表示開始時の状態を示している。
【図９】表示部に表示される表示画面の一例を示した図であり、（Ａ）はスクロール表示中の状態を示し、（Ｂ）はスクロール表示終了時の状態を示している。
【図１０】第２実施形態に係る表示装置による表示処理を示したフローチャートである。
【図１１】表示部に表示される表示画面の一例を示した図である。
【図１２】表示部に表示される表示画面の一例を示した図であり、（Ａ）はスクロール表示中の状態を示し、（Ｂ）はスクロール表示終了時の状態を示している。
【発明を実施するための形態】
【００１２】
以下、本発明の一実施形態に係る表示装置及び表示制御プログラムについて図面を参照して説明する。図１は、本発明の第１実施形態に係る表示装置の外観を示す平面図である。図２は、本発明の第１実施形態に係る表示装置の主要内部構成を概略的に示した機能ブロック図である。
【００１３】
本発明の第１実施形態に係る表示装置１は、例えば、スマートフォンなどのモバイル機器である。表示装置１は、表示部１０と、タッチパネル２０と、通信部３０と、記憶部４０と、制御ユニット１００とを備えている。これらの各構成は、互いに例えばＣＰＵ（Central Processing Unit）バスによりデータ又は信号の送受信が可能とされている。
【００１４】
表示部１０は、液晶ディスプレイ（ＬＣＤ：Liquid Crystal Display）や有機ＥＬ（ＯＬＥＤ：Organic Light-Emitting Diode）などから構成される。また、表示部１０は、制御ユニット１００からの応答やデータ結果等を表示する。
【００１５】
タッチパネル２０は、いわゆる抵抗膜方式や静電容量方式等のタッチパネルである。タッチパネル２０は、表示部１０の前面に配置され、表示部１０が表示する表示画面上におけるユーザーによる接触をその接触位置と共に検知する。タッチパネル２０は、ユーザーによる接触を検知すると、その接触点の座標位置を示す検知信号を制御ユニット１００の後述する操作受付部１０２などに出力する。このように、タッチパネル２０は、表示部１０が表示する表示画面に対するユーザー操作が入力される操作部としての役割を果たす。
【００１６】
なお、タッチパネル２０には、表示画面への直接の接触がなくても、ユーザーの指などが表示画面に対して一定距離まで接近した場合に当該指などを検出するタッチパネルも含まれる。このため、本実施形態でいう「接触」には、表示画面への接触がなくても指などが上記一定距離まで接近したことがタッチパネル２０の機能により検出される状態も、実質的に接触したとして含まれるものとする。
【００１７】
また、表示装置１は、ユーザー操作が入力される操作部として、上記のタッチパネル２０に加えて物理キーを備えてもよい。当該物理キーには、例えば、矢印キー、Page Upキー、Page Downキーなどがある。
【００１８】
通信部３０は、不図示のＬＡＮ（Local Area Network）チップなどの通信モジュールを備える通信インターフェイスである。表示装置１は、ネットワークを介してＰＣ（Personal Computer）などの他の電子機器と接続されており、通信部３０により接続されたＰＣなどとの間でデータの送受信を行う。
【００１９】
記憶部４０は、不揮発性メモリーなどの記憶装置である。
【００２０】
制御ユニット１００は、プロセッサー、ＲＡＭ（Random Access Memory）、及びＲＯＭ（Read Only Memory）等から構成される。プロセッサーは、例えば、ＣＰＵ、ＭＰＵ、ＡＳＩＣ等である。制御ユニット１００は、上記記憶部４０に記憶された表示制御プログラムが上記のプロセッサーに実行されることにより、制御部１０１、操作受付部１０２、表示制御部１０３、及びメール情報記憶部１０４として機能する。但し、制御ユニット１００の上記の各構成は、前述の表示制御プログラムに基づく動作によらず、それぞれハード回路により構成されてもよい。以下、特に触れない限り、各実施形態についても同様である。
【００２１】
制御部１０１は、表示装置１の全体的な動作制御を司る。制御部１０１は、表示部１０、タッチパネル２０、通信部３０、及び記憶部４０などと接続されており、接続されている上記各構成の動作制御や、各構成との間での信号またはデータの送受信を行う。例えば、制御部１０１はメール機能を備え、メールの送受信を行い、送信したメール情報や受信したメール情報をメール情報記憶部１０４に記憶させる。
【００２２】
操作受付部１０２は、タッチパネル２０により検知される表示部１０に対するタッチ操作を受け付ける。操作受付部１０２は、タッチパネル２０から出力される検知信号に基づき、ユーザーにより行われたタッチ操作の内容を特定し、当該特定した内容に対応する指示を、制御部１０１及び表示制御部１０３などに出力する。
【００２３】
タッチパネル２０に行われるタッチ操作には、タップ操作やスライド操作（フリック操作やスワイプ操作を含む）などがある。例えば、ユーザーがタッチパネル２０上に指を接触させ、その後その接触位置から指を離すと、タッチパネル２０は、接触を検知した位置を示す検知信号を操作受付部１０２に出力する。操作受付部１０２は、当該検知信号を受け、例えば、ユーザーにより入力されたユーザー操作がタップ操作であることを特定する。
【００２４】
また、タッチパネル２０上に指を接触させた状態で指を移動させると、タッチパネル２０は、最初に接触を検出した初期位置から最後に接触を検出した最終位置までの各移動位置を示す検知信号を操作受付部１０２に出力する。操作受付部１０２は、当該検知信号を受け、ユーザーにより入力されたユーザー操作がスライド操作（フリック操作又はスワイプ操作）であることを特定する。
【００２５】
表示制御部１０３は、表示部１０の表示制御を行う。例えば、表示制御部１０３は、操作受付部１０２からユーザーからの受信メールリストの表示指示を受け取ると、メール情報記憶部１０４から受信メール情報を読み出し、読み出した受信メール情報を示す受信メールリスト画像を作成し、当該受信メールリスト画像を表示部１０に表示する。
【００２６】
また、表示制御部１０３は、操作受付部１０２がユーザーによるタッチ操作が例えばスワイプ操作であると特定すると、当該スワイプ操作の方向及び速度に応じて、例えばスクロール速度が徐々に減速するスクロール表示を行う（慣性スクロール）。操作受付部１０２は、スワイプ操作の方向を、タッチパネル２０上に接触した指の移動方向から検出し、スワイプ操作の速度については、単位時間当たりの当該指の移動距離から検出する。なお、以下には、スワイプ操作が受け付けられた場合を例にして説明しているが、本発明は、フリック操作等の他のタッチ操作等に基づいて、操作受付部１０２及び表示制御部１０３による各制御を行うものであってもよい。
【００２７】
図３は、受信メールリスト画像の一例を示した図であり、図４は、表示部１０に表示される表示画面の一例を示した図である。
【００２８】
表示制御部１０３は、受信メールリスト画像Ｍ１を作成したときに、受信メール情報が多く、受信メールリスト画像Ｍ１が表示部１０の表示領域に収まらない場合は、スクロール表示により受信メールリスト画像Ｍ１を部分毎に表示領域Ｅ１に順次表示する。なお、本実施形態では、表示制御部１０３が、スクロール表示させる表示対象として表示部１０に表示させる表示対象画像をスクロール画像と称する。すなわち、スクロール画像は、その全体が１度の表示では表示部１０の表示領域に表示できず、スクロール表示により各部分を順次表示領域に表示しなければ、画像全体が表示領域に表示されない画像である。受信メール情報が多い場合における受信メールリスト画像Ｍ１は、スクロール画像の一例となる。
【００２９】
表示制御部１０３は、表示部１０に表示させる表示画面Ｄ１を、例えば、タイトル名「受信メールＢＯＸ」を表示するタイトルバーＢｔと、表示領域Ｅ１に配置する受信メールリスト画像Ｍ１の部分的な画像とで構成する。本実施形態では、表示領域Ｅ１を、表示部１０の画面におけるタイトルバーＢｔの表示箇所以外の領域として説明する。図４に示す表示領域Ｅ１に表示されているのは、図３に破線で示した部分Ｐ１である。
【００３０】
そして、表示制御部１０３は、受信メールリスト画像Ｍ１をスクロール表示させる場合、図５（Ａ）に示すように、表示領域Ｅ１に表示している部分Ｐ１が、受信メールリスト画像Ｍ１の全体（図３）におけるどの範囲を示しているかを、表示領域Ｅ１における表示位置により示すスクロールバーＢｓの画像を表示させる。
【００３１】
図５（Ｂ）に破線で示す領域は、スクロールバーＢｓの表示可能な領域を示すスクロールバー表示領域Ｅ２である。表示制御部１０３は、スクロールバー表示領域Ｅ２を表示しないが、例えば、スクロールバー表示領域Ｅ２を、表示領域Ｅ１の全域（図５（Ｂ）では縦方向における全域）に及ばせて表示させるようにしてもよい。
【００３２】
図５（Ａ）には、表示制御部１０３が、スクロールバーＢｓを、スクロールバー表示領域Ｅ２の上端から、スクロールバー表示領域Ｅ２の先頭からスクロールバー表示領域Ｅ２の全長に対して３０％となる位置まで延ばして表示する例を示している。この場合、スクロールバーＢｓは、表示領域Ｅ１に表示されている部分Ｐ１が、受信メールリスト画像Ｍ１の先頭からその全長に対して３０％となる長さ位置までの領域であることを示すことになる。すなわち、スクロールバーＢｓは、表示領域Ｅ１に表示している部分Ｐ１が、受信メールリスト画像Ｍ１の全体（図３）におけるどの範囲を示しているかを、表示領域Ｅ１における表示位置により示している。
【００３３】
次に、表示装置１による表示処理について説明する。図６は、表示装置１による表示処理を示すフローチャートである。図７、図８（Ａ）（Ｂ）、図９（Ａ）（Ｂ）は、表示部１０に表示される表示画面の一例を示した図である。特に、図８（Ａ）はスワイプ操作時の状態を示し、図８（Ｂ）はスクロール表示開始時の表示画面を示し、図９（Ａ）はスクロール表示中の表示画面を示し、図９（Ｂ）はスクロール表示終了時の表示画面を示す。なお、ここでは、表示部１０に、スクロール画像として受信メールリスト画像Ｍ１が表示されている状態（図４）で、受信メールリスト画像Ｍ１に対するスワイプ操作が行われた場合を例に挙げて説明する。
【００３４】
図８（Ａ）に例を示すように、ユーザーにより受信メールリスト画像Ｍ１に対して矢印Ａ１方向（図中上方向）への例えばスワイプ操作が行われ、操作受付部１０２が、当該スワイプ操作を検出すると、当該スワイプ操作に基づく指示としてスクロール指示を受け付け、当該スワイプ操作の方向及び速度を検出する（Ｓ１）。操作受付部１０２は、検出した当該スワイプ操作の方向及び速度と、この時点で表示部１０に表示されている受信メールリスト画像Ｍ１の表示位置とに基づいて、受信メールリスト画像Ｍ１に対するスクロール量を算出し、受信メールリスト画像Ｍ１における当該スクロール表示の表示終了位置を特定する（Ｓ２）。操作受付部１０２は、Ｓ１で検出したスワイプ操作の方向及び速度と、Ｓ２で特定したスクロール表示の表示終了位置と、スクロール指示とを、表示制御部１０３に出力する。
【００３５】
続いて、表示制御部１０３は、特定された上記表示終了位置に基づいて、スクロールバー表示領域Ｅ２の全域における、当該スクロール表示の終了時にスクロールバーＢｓを表示させることになる位置（スクロール表示の終了時に表示されるスクロールバーＢｓの表示領域Ｅ１における位置でもある）を算出する（Ｓ３）。更に、表示制御部１０３は、スクロールバー表示領域Ｅ２の上端から、当該Ｓ３で算出した位置まで延びる、例えば矩形状のガイド画像Ｇ１（図７）を作成する（Ｓ４）。すなわち、ガイド画像Ｇ１は、スクロール表示が行われる間にスクロールバーＢｓを移動させて表示する移動範囲を示すことになる。表示制御部１０３は、図７に例を示すように、作成した当該ガイド画像Ｇ１をスクロールバー表示領域Ｅ２に表示する（Ｓ５）。更に、表示制御部１０３は、スクロールバーＢｓをガイド画像Ｇ１に重ねて表示する（Ｓ５）。例えば、図８（Ｂ）に示すように、表示部１０に表示されている受信メールリスト画像Ｍ１の全体（図３）における、表示領域Ｅ１に表示されている画像の位置に対応する表示領域Ｅ１内の位置（すなわち、ガイド画像Ｇ１の全域内における位置）に、表示制御部１０３により、ガイド画像Ｇ１に重ねて、スクロールバーＢｓが表示される。ガイド画像Ｇ１は、特許請求の範囲における停止位置画像の一例である。
【００３６】
ここで、例えば、上記スクロール指示の示すスクロール表示がスクロールアップである場合、表示制御部１０３は、スクロール表示開始時に、スクロールバーＢｓを、スクロールバー表示領域Ｅ２の上端に表示する。そして、表示制御部１０３は、上記Ｓ４で作成したガイド画像Ｇ１をスクロールバー表示領域Ｅ２の上端を先頭にして表示させる。図８（Ｂ）はこの場合を示している。
【００３７】
なお、上記スクロール指示の示すスクロール表示がスクロールダウンである場合、表示制御部１０３は、スクロール表示開始時に、スクロールバーＢｓを、スクロールバー表示領域Ｅ２の下端に表示する。そして、表示制御部１０３は、上記Ｓ４で作成したガイド画像Ｇ１を、その下端部をスクロールバー表示領域Ｅ２の下端に揃えて表示させる。
【００３８】
なお、いずれの場合も、ガイド画像Ｇ１に示される領域が、スクロール表示時におけるスクロールバーＢｓの移動表示範囲となる。
【００３９】
続いて、表示制御部１０３は、Ｓ１で検出されたスワイプ操作の方向及び速度で、受信メールリスト画像Ｍ１についてスクロール表示を開始する（Ｓ６）。表示制御部１０３は、当該スクロール表示による表示領域Ｅ１における画面変化に合わせて、スクロールバーＢｓの表示位置を移動させる（Ｓ７）。この場合、表示制御部１０３は、図９（Ａ）に例を示すように、表示領域Ｅ１に表示させている画像である部分Ｐ１が受信メールリスト画像Ｍ１のいずれの部分であるかに合わせて、ガイド画像Ｇ１の全域におけるスクロールバーＢｓの表示位置を変化させる。
【００４０】
表示制御部１０３は、図９（Ｂ）に例を示すように、表示領域Ｅ１に表示している部分Ｐ１が上記表示終了位置に到達するまで、スクロール表示及びスクロールバーＢｓの移動表示を行い（Ｓ８でＮＯ）、表示領域Ｅ１に表示している部分Ｐ１が上記表示終了位置に到達すると（Ｓ８でＹＥＳ）、受信メールリスト画像Ｍ１のスクロール表示を終了する（Ｓ９）。表示制御部１０３は、スクロール表示の終了時、スクロールバーＢｓ及びガイド画像Ｇ１を非表示とする（Ｓ１０）。
【００４１】
次に、表示装置１による表示処理の第２実施形態について説明する。図１０は、表示装置１による表示処理の第２実施形態を示すフローチャートである。なお、第１実施形態と同様の処理については説明を省略する。
【００４２】
第１実施形態では、スクロールバーＢｓの移動範囲を示すガイド画像Ｇ１を表示部１０に表示するという表示処理を行うが、第２実施形態は、スクロール表示の終了時に表示されるスクロールバーＢｓの位置にスクロールバーＢｓと同一形状の画像を、表示部１０に表示する点で、第１実施形態とは相違する。
【００４３】
第２実施形態では、表示制御部１０３は、Ｓ２で算出した表示終了位置に基づいて、スクロール表示の終了時に表示されるスクロールバーＢｓの表示領域Ｅ１における位置を算出し（Ｓ３）、図１１に例を示すように、算出した当該位置に、スクロールバーＢｓと同一形状の画像であるパーツ画像Ｐｔを表示領域Ｅ１の部分Ｐ１上に表示する（Ｓ１４）。パーツ画像Ｐｔは、特許請求の範囲における停止位置画像の一例である。
【００４４】
続いて、表示制御部１０３は、Ｓ１で検出されたスワイプ操作の方向及び速度で、受信メールリスト画像Ｍ１についてスクロール表示を開始すると共に（Ｓ６）、図１２（Ａ）に示すように、当該スクロール表示による表示領域Ｅ１における画面変化に合わせて、スクロールバーＢｓの表示位置を移動させる（Ｓ７）。
【００４５】
表示制御部１０３は、図１２（Ｂ）に例を示すように、表示領域Ｅ１に表示している部分Ｐ１が上記表示終了位置に到達するまで、スクロール表示及びスクロールバーＢｓの移動表示を行い（Ｓ８でＮＯ）、表示領域Ｅ１に表示している部分Ｐ１が上記表示終了位置に到達すると（Ｓ８でＹＥＳ）、スクロールバーＢｓをパーツ画像Ｐｔ上に重ね合わせて表示し、受信メールリスト画像Ｍ１のスクロール表示を終了する（Ｓ９）。表示制御部１０３は、スクロール表示の終了時、スクロールバーＢｓ及びパーツ画像Ｐｔを非表示とする（Ｓ２０）。
【００４６】
これら第１及び第２実施形態では、スクロールバーＢｓと、スクロールバーＢｓの移動範囲を示すガイド画像Ｇ１又はパーツ画像Ｐｔを、スワイプ操作直後であってスクロール表示中に表示部１０に表示するため、スワイプ操作後すぐにスクロール表示が終了しなくても、スクロール表示の表示終了位置を、確実にユーザーに事前に認識させることが可能になる。
【００４７】
本発明は上記実施の形態の構成に限られず種々の変形が可能である。また、上記実施形態では、本発明に係る表示装置の一実施形態としてスマートフォンを用いて説明しているが、これは一例に過ぎず、他の電子機器、例えば、携帯電話、ＰＤＡ、音楽プレーヤー、及び電子タブレットなどでもよい。
【００４８】
また、上記実施形態では、図１乃至図１２を用いて上記実施形態により示した構成及び処理は、本発明の一実施形態に過ぎず、本発明を当該構成及び処理に限定する趣旨ではない。
【符号の説明】
【００４９】
１        表示装置
１０      表示部
２０      タッチパネル
３０      通信部
４０      記憶部
１００    制御ユニット
１０１    制御部
１０２    操作受付部
１０３    表示制御部
【図１】
0006528726.tif 000002
【図２】
0006528726.tif 000003
【図３】
0006528726.tif 000004
【図４】
0006528726.tif 000005
【図５】
0006528726.tif 000006
【図６】
0006528726.tif 000007
【図７】
0006528726.tif 000008
【図８】
0006528726.tif 000009
【図９】
0006528726.tif 000010
【図１０】
0006528726.tif 000011
【図１１】
0006528726.tif 000012
【図１２】
0006528726.tif 000013